(57)【要約】本発明は、モバイル通信ネットワークを使用して位置を追跡する装置に関し、この装置は、端末と、基地局送信システム（ＢＴＳ）と、基地局コントローラ（ＢＳＣ）と、モバイルスイッチングセンタ（ＭＳＣ）と、ホームロケーションレジスタ（ＨＬＲ）と、ショートメッセージサービス（ＳＭＳ）と、位置情報管理サーバと、を備える。より具体的には、位置追跡装置は、基本的ＣＤＭＡ無線送信と受信を実行するためのＣＤＭＡ無線送信及び受信要素と；ＧＰＳ衛星から位置情報を受信するための位置情報抽出要素と；ユーザが緊急状況にある時にＰＵＳＨ動作を実行するための緊急状況呼出ボタンと；緊急状況メッセージと外部通知音声データを格納するためのメモリと；ユーザの個人情報を提供するための無線周波数識別（ＲＦＩＤ）処理要素と；位置情報管理サーバから命令を受信すると、現在位置通知又は外部通知音声データの出力を実行し、距離／時間ベースのタイマを使用して距離／時間に基づいて低電力位置登録を決定することによってＨＬＲにおける低電力位置登録を実行するためのコントローラと；外部通知音声データを出力するためのスピーカと；を備える。従って、本発明によって、ユーザが緊急状況にある時、ユーザがより単純且つ迅速に緊急状況を管理することができ、小型で低電力の端末の製造が実現可能となる。【選択図】図１
2007507150.tif 000002
【特許請求の範囲】
【請求項１】
複数の端末と、基地局と、制御局と、スイッチングセンタと、ホームロケーションレジスタ（ＨＬＲ）と、ショートメッセージサービス（ＳＭＳ）サーバと、位置情報管理サーバと、を備えるモバイル通信ネットワークを使用して人／物体の位置を追跡する装置であって、当該装置は、
モバイル通信ネットワークにおいて基本的ＣＤＭＡ無線送信と受信を実行するためのＣＤＭＡ無線送信及び受信要素と；
ＧＰＳ衛星から位置情報を受信してその位置情報を出力するための位置情報抽出要素と；
緊急事態でユーザがＰＵＳＨ動作を実行するときに、緊急事態呼出選択信号を出力する緊急事態呼出ボタンと；
緊急事態メッセージと外部通知オーディオデータを格納するメモリと、
個人情報を提供する無線周波数識別（ＲＦＩＤ）処理要素と、
以下の動作を実行するコントローラと、を備え、
当該動作は、位置情報呼出命令を受信すると位置情報抽出要素を使用して現在の位置を生成し、位置情報を位置情報管理サーバへ送信し；
位置情報管理サーバからショートメッセージサービスを介して外部通知命令を受信すると、メモリに格納された外部通知オーディオデータを読出し、それを出力し；
緊急事態呼出選択信号が緊急事態呼出ボタンから入力されると、メモリに格納された緊急事態メッセージを読出し、それをユーザの現在位置情報を共にショートメッセージサービスを介して位置情報管理サーバへ送信し；
埋め込まれた距離／時間標準タイマを使用して位置登録を決定することによってＨＬＲにおける位置登録を実行する；ことを含み、
前記装置は、更に、コントローラからユーザの現在の緊急事態とその対策を含む外部通知オーディオデータを受信してそれを音声認識可能に射出するスピーカを備える、
モバイル通信ネットワークを使用して人／物体の位置を追跡する装置。
【請求項２】
複数の端末と、基地局と、制御局と、スイッチングセンタと、ホームロケーションレジスタ（ＨＬＲ）と、ショートメッセージサービス（ＳＭＳ）サーバと、位置情報管理サーバと、を備えるモバイル通信ネットワークを使用して人／物体の位置を追跡する方法であって、当該方法は、
端末の電源がオンにされると、端末がモバイル通信ネットワークを介してＨＬＲに対して位置登録と認証プロセスを実行するステップ（１００）と；
端末が現在位置を生成し、スリープモードに変換されるために時間と距離標準タイマを初期化するステップ（２００）と；
命令が位置情報管理サーバ又はユーザから入力されたか否かを端末が決定するステップ（３００）と；
ステップ３００で命令が位置情報管理サーバ又はユーザから入力されない場合、位置登録が、電力消費を減少するための時間と距離標準位置登録／決定方法を使用して実行されるか否かを端末が決定して、次に位置登録が実行されるべきであることが決定されるとＨＬＲに対して位置登録を実行するステップ（４００）と；
ステップ３００で命令が位置情報管理サーバ又はユーザから入力される場合、端末をアクティブモードに変換して命令が何かを決定するステップ（５００）と；
命令が位置情報管理サーバから受信された位置情報を求める要求である場合、端末がＳＭＳを介して現在の位置情報を位置情報管理サーバへ通知し、次に、ステップ２００へ進み、スリープモードへ変換されるステップ（６００）と；
を備えるモバイル通信ネットワークを使用して人／物体の位置を追跡する方法。
【請求項３】
前記ステップ４００は、
位置登録の命令が基地局から要求されるか否かを端末が決定するステップ（４０１）と；
ステップ４０１で位置登録の命令が基地局から要求されると、端末が、現在の位置情報をＨＬＲに登録し、次に、ステップ２００に進むステップ（４０２）と；
ステップ４０１で位置登録の命令が基地局から要求されない場合、距離標準タイマが終了されたか否かを端末が決定するステップ（４０３）と；
ステップ４０３で距離標準タイマが終了していない場合、端末がステップ４０１へ進み、ステップ４０３でタイマが終了される場合、現在位置と、距離標準タイマの開始点から終了点までにシフトされた距離を計算するステップ（４０４）と；
距離標準タイマの開始点から終了点までのシフトされた距離が第１の臨界値を超えるか否かを端末が決定するステップ（４０５）と；
ステップ（４０５）で距離標準タイマの開始点から終了点までのシフトされた距離が第１の臨界値を超える場合に、端末がステップ（４０２）へ進み、現在の位置情報を登録し、シフトされた距離が第１の臨界値未満である場合に、時間標準タイマが終了されるか否かを決定するステップ（４０６）と；
ステップ４０６で時間標準タイマが終了される場合、現在の位置と時間標準タイマの開始点から終了点までのシフトされた距離を端末が計算するステップ（４０７）と；
端末が、時間標準タイマの開始点から終了点までのシフトされた距離が第２の臨界値を超えるか否かを決定して、シフトされた距離が第２の臨界値を超える場合にステップ４０２に進んで現在の位置情報を登録するステップ（４０８）と、を備える、請求項２に記載の人／物体の位置を追跡する方法。
【請求項４】
前記方法は、更に、ステップ４０６で時間標準タイマが終了していない場合、端末が距離標準タイマを初期化し、次に、ステップ４０１に進むステップ（４０９）を備える、請求項３に記載の人／物体の位置を追跡する方法。
【請求項５】
前記方法は、更に、ステップ４０８で、時間標準タイマの開始点から終了点までにシフトされた距離が第２の臨界点未満である場合、端末が時間と距離標準タイマを初期化し、次に、ステップ４０１に進むステップ（４１０）を備える、請求項３に記載の人／物体の位置を追跡する方法。
【請求項６】
前記方法は、更に、命令が、位置情報管理サーバから受信された緊急事態通知に対するものである場合、端末が、ユーザの現在の緊急事態と緊急事態対策を含む緊急事態通知のための音声データをメモリから読出し、スピーカを介してそれを音声認識可能に流すステップ（７００）を備える、請求項３に記載の人／物体の位置を追跡する方法。
【請求項７】
前記方法は、更に、ステップ５００において命令が、ユーザの緊急事態呼出入力に対するものである場合、端末が、メモリから緊急事態メッセージを読出し、緊急事態メッセージを現在の位置情報と共にＳＭＳを介して位置情報管理サーバへ送信し、次にステップ２００へ進むステップ（８００）を備える、請求項３に記載の人／物体の位置を追跡する方法。
【請求項８】
前記方法は、更に、ユーザが各ステップ中の任意の時間に電源をオフしようとする場合、端末が、現在位置情報を生成してＨＬＲへ現在位置情報を通報し、次に、処理を終了するステップ（９００）を備える、請求項３に記載の人／物体の位置を追跡する方法。
【請求項９】
第１の臨界値が距離標準位置登録最適パラメータを超えるように設定され、第２の臨界値が時間標準位置登録最適パラメータ未満であるように設定され、夫々、現在のモバイル通信端末で使用される、請求項３に記載の人／物体の位置を追跡する方法。
【請求項１０】
複数の端末と、基地局と、制御局と、スイッチングセンタと、ホームロケーションレジスタ（ＨＬＲ）と、ショートメッセージサービス（ＳＭＳ）サーバと、位置情報管理サーバと、を備えるモバイル通信ネットワークを使用して人／物体の位置を追跡する装置であって、当該装置は、
複数の端末１００の位置情報を管理し、保護者からユーザの位置情報の要求を受信すると、位置情報に対する要求を対応する端末にＳＭＳを介して送信し、保護者が読み取れるようにＳＭＳを介して受信された暗号化位置情報を復号化する位置情報処理手段と；
保護者の要求を受信すると、ＳＭＳを介して通知要求を対応する端末へ送信する通知処理手段と；
を備えるモバイル通信ネットワークを使用して人／物体の位置を追跡する装置。
【請求項１１】
複数の端末と、基地局と、制御局と、スイッチングセンタと、ホームロケーションレジスタ（ＨＬＲ）と、ショートメッセージサービス（ＳＭＳ）サーバと、位置情報管理サーバと、を備えるモバイル通信ネットワークを使用して人／物体の位置を追跡する方法であって、当該方法は、
保護者から命令を受信すると、位置情報管理サーバがその命令が何であるかを決定するステップ（１００１）と；
ステップ１００１で保護者から緊急事態通知の要求を受信すると、位置情報管理サーバが、ＳＭＳを介して位置情報の要求を対応する端末に送信するステップ（１００２）と；
ステップ１００１で保護者から対応する端末の位置情報の要求を受信すると、位置情報管理サーバが、ＳＭＳを介して位置情報の要求を対応する端末へ送信し、次に、保護者が読み取れるようにＳＭＳを介して受信された暗号化位置情報を復号化するステップ（１００３）と、
を備えるモバイル通信ネットワークを使用して人／物体の位置を追跡する方法。
【発明の詳細な説明】
【技術分野】
【０００１】
本発明は、一般的に、符号分割多重アクセス（ＣＤＭＡ）技術を使用して人／物体の位置を追跡する装置及び方法に関し、より具体的には、モバイル通信ネットワークを使用して人／物体の位置を追跡する装置及び方法に関する。
【背景技術】
【０００２】
周知のように、モバイル通信システムは、ユーザによって持ち運ばれることができるモバイル通信端末と；個々の領域に確立される基地局送信システム（ＢＴＳ）と；ＢＴＳを制御するための複数の基地局コントローラ（ＢＳＣ）と；複数のＢＳＣと接続して種々のスイッチングオペレーションを実行するためのモバイルスイッチングセンタ（ＭＳＣ）と、を備えている。このモバイル通信ネットワークは、国全体に亘ってすでに確立されている。従って、ユーザは、有線電話ネットワークがまだ確立されていないエリアにユーザが移動すると、無線電話呼出で繋がることができる。
【０００３】
モバイル通信サービスにおける永続的な一定の改良の結果として、無線電話呼出、ショートメッセージサービス（ＳＭＳ）を使用するショートメッセージスイッチングサービス、インターネット情報提供サービス、及びモバイル通信端末の位置を追跡しユーザの緊急事態を保護者に警告する位置追跡サービス等の種々のサービスが開発された。
【０００４】
このように、モバイル通信端末を携行するユーザは、彼が有線電話機へのアクセスを有していない時に、種々のモバイル通信サービスを介して保護者、病院スタッフ、緊急ステーションの９１１のような緊急事態センタに緊急事態を迅速に通報できる。
【０００５】
韓国実用新案登録第０１６４１８５号、韓国特許出願公開第２００２−０００４５３４号、及び韓国特許出願公開第２００３−００２２６１３号は、モバイル通信ネットワークを使用する幾つかの従来の位置追跡装置を開示している。
【０００６】
より具体的には、韓国実用新案登録第０１６４１８５号に従うモバイル通信端末は、ＣＤＭＡ信号をモバイル通信ネットワークへ定期的に送信するための小信号送信デバイスと、（２）当該信号を受信することによって位置情報と緊急事態呼出情報を検出するためのモバイル通信手段と、を備えている。
【０００７】
しかしながら、韓国実用新案登録第０１６４１８５号に従うモバイル通信端末は、ユーザ（彼又は彼女）が端末を操作できない場合（例えば、赤ん坊、ペット及び問題を抱える年寄りが従来のモバイル通信端末の複雑な操作を実行できない）、そのユーザは、上述のモバイル通信端末を介して緊急事態に対処できない、という問題がある。このように、ユーザが彼又は彼女の所の端末を操作しない場合、当該ユーザの周りの誰もが、そのユーザの緊急事態を知ることができない。更に、位置情報がＢＴＳの各々によってのみ抽出されることができるので、ユーザの正確な位置情報を得ることができない。
【０００８】
更に、韓国特許出願公開第２００２−０００４５３４号公報は、物体の現在の位置情報をユーザに提供する方法を開示している。この公報は、更に、位置情報を記録するための記録媒体を開示している。韓国特許出願公開第２００３−００２２６１３号は、インターネットを介してグローバル位置決定システム（ＧＰＳ）を使用してユーザに位置情報を提供して、子供が保護者の保護領域を離れたことを彼又は彼女の保護者に通報することによって、子供が行方不明になることを防止する方法を教示している。
【０００９】
しかしながら、韓国特許出願公開第２００２−０００４５３４号及び韓国特許出願公開第２００３−００２２６１３号に従うモバイル通信端末には、緊急事態（例えば、ユーザの行方不明、病気、又は端末を収容する物品の窃盗）が生じると、これらの緊急事態について端末の周りの人々に通知する方法がないという問題がある。赤ん坊、ペット、又は端末の複雑な操作を実行できない人を保護するのに適さない。理由は、彼等の正確な位置を見つけ出すことが困難なためである。更なる無線通信システムは、位置情報サービスを提供することが求められる。これにより、追加の機能及び／又は変更のために大きなコストを負担することになる。
【００１０】
特に、韓国実用新案登録第０１６４１８５号、韓国特許出願公開第２００２−０００４５３４号、及び韓国特許出願公開第２００３−００２２６１３号に従うモバイル通信端末は、頻繁な位置登録が必要とされる場合（例えば、高速移動の場合）登録のための電力消費が増加するという問題がある。これは、信号が周期的に（即ち、無条件に）送信されてモバイル通信ネットワークに対して端末の位置登録を実行するからである。
【００１１】
更に、上記公報に開示された端末の全ては、キーパッド及びスクリーンディスプレイのような追加のデバイスが、設けられなければならず、従って位置登録のための電力消費が増加するという欠点がある。それ故に、バッテリと端末を小型化するのが不可能である。
【発明の開示】
【発明が解決しようとする課題】
【００１２】
したがって、本発明は、上記の問題点を解決するために提供される。本発明の目的は、端末を携行する子供が緊急事態にある時にボタンを押すだけの単純な操作を介して保護者に迅速且つ正確に通報するためにモバイル通信ネットワークを使用して人／物体の位置を追跡するための装置と方法を提供することである。
【００１３】
本発明の他の一つの目的は、赤ん坊、ペット又は年配者が緊急事態にある時に、遠隔位置から保護者の制御下で端末の周りの人々へ緊急アラームを音声認識可能に発するためにモバイル通信ネットワークを使用して人／物体の位置を追跡するための装置と方法を提供することである。
【００１４】
本発明の他の目的は、端末とモバイル通信ネットワークとの間で情報を送信する場合に、ショートメッセージサービスを使用して位置登録を実行することによって端末の電力消費を最小にすると共にモバイル通信ネットワークを使用して人／物体の位置を追跡するための装置と方法を提供することである。更に、本発明の目的は、距離と時間を考慮して端末の位置を登録する改良された方法を提供することである。
【００１５】
本発明の更に他の目的は、キーパッドとスクリーンディスプレイを排除することによって端末を小型化すると共にモバイル通信ネットワークを使用して人／物体の位置を追跡するための装置と方法を提供することである。これによって、ユーザは、端末を便利に携行でき、更に、端末の価格を低下する。
【００１６】
本発明の更に他の目的は、端末内で無線周波数識別（ＲＦＩＤ）を迅速に提供し且つユーザの個人情報と病歴のような幾つかの情報を提供することによってユーザの突然の病気や緊急の犯罪状況を管理するためにモバイル通信ネットワークを使用して人／物体の位置を追跡するための装置と方法を提供することである。
【課題を解決するための手段】
【００１７】
上記目的／目標を達成するために、複数の端末と、基地局と、制御局と、スイッチングセンタと、ホームロケーションレジスタ（ＨＬＲ）と、ショートメッセージサービス（ＳＭＳ）サーバと、位置情報管理サーバと、を備えるモバイル通信ネットワークを使用して人／物体の位置を追跡する装置が提供される。この装置は、モバイル通信ネットワークにおいて基本的ＣＤＭＡ無線送信と受信を実行するためのＣＤＭＡ無線送信及び受信要素と；ＧＰＳ衛星から位置情報を受信してその位置情報を出力するための位置情報抽出要素と；緊急事態でユーザがＰＵＳＨ動作を実行するときに、緊急事態呼出選択信号を出力する緊急事態呼出ボタンと；緊急事態メッセージと外部通知オーディオデータを格納するメモリと、個人情報を提供する無線周波数識別（ＲＦＩＤ）処理要素と、コントローラと、を備える。
【００１８】
このコントローラは、以下の動作、即ち、位置情報呼出命令を受信すると位置情報抽出要素を使用して現在位置を生成し、その位置情報を位置情報管理サーバへ送信し；位置情報管理サーバからショートメッセージサービスを介して外部通知命令を受信すると、メモリに格納された外部通知オーディオデータを読出し、それを出力し；緊急事態呼出選択信号が緊急事態呼出ボタンから入力されると、メモリに格納された緊急事態メッセージを読出し、それをユーザの現在位置情報と共にショートメッセージサービスを介して位置情報管理サーバへ送信し；埋め込まれた距離／時間標準タイマを使用して位置登録を決定することによってＨＬＲにおける位置登録を実行する；ことを含み、本装置は、更に、コントローラからユーザの現在の緊急事態とその対策を含む外部通知オーディオデータを受信してそれを音声認識可能に射出するスピーカを備える。
【００１９】
更に、複数の端末と、基地局と、制御局と、スイッチングセンタと、ＨＬＲと、ＳＭＳサーバと、位置情報管理サーバと、を備えるモバイル通信ネットワークを使用して人／物体の位置を追跡する方法が提供される。この方法は、端末がオンにされると、端末がモバイル通信ネットワークを介してＨＬＲに対して位置登録と認証プロセスを実行するステップ（１００）と；端末が現在位置を生成し、スリープモードに変換されるために時間と距離標準タイマを初期化するステップ（２００）と；命令が位置情報管理サーバ又はユーザから入力されたか否かを端末が決定するステップ（３００）と；ステップ３００で命令が位置情報管理サーバ又はユーザから入力されない場合、位置登録が、電力消費を減少するための時間と距離標準位置登録／決定方法を使用して実行されるか否かを端末が決定し、実行されるべきであることが決定されるとＨＬＲに対して位置登録を実行するステップ（４００）と；ステップ３００で命令が位置情報管理サーバ又はユーザから入力される場合、端末がアクティブモードに変換されて命令が何かを決定するステップ（５００）と；命令が位置情報管理サーバから受信された位置情報を求める要求である場合、端末が現在の位置情報をＳＭＳを介して位置情報管理サーバへ通知し、次に、ステップ２００へ進み、スリープモードへ変換されるステップ（６００）と、を備える。
【００２０】
更に、複数の端末と、基地局と、制御局と、スイッチングセンタと、ＨＬＲと、ＳＭＳサーバと、位置情報管理サーバと、を備えるモバイル通信ネットワークを使用して人／物体の位置を追跡する装置が提供される。この装置は、複数の端末１００の位置情報を管理し、保護者からユーザの位置情報の要求を受信すると、位置情報に対する要求を対応する端末にＳＭＳを介して送信し、保護者が読み取れるようにＳＭＳを介して受信された暗号化位置情報を復号化する位置情報処理手段と；保護者の要求を受信すると、ＳＭＳを介して通知要求を対応する端末へ送信する通知処理手段と；を備える。
【００２１】
更に、複数の端末と、基地局と、制御局と、スイッチングセンタと、ＨＬＲと、ＳＭＳサーバと、位置情報管理サーバと、を備えるモバイル通信ネットワークを使用して人／物体の位置を追跡する方法が提供される。この方法は、保護者から命令を受信すると、位置情報管理サーバがその命令が何であるかを決定するステップ（１００１）と；ステップ１００１で保護者から緊急事態通知の要求を受信すると、位置情報管理サーバが、ＳＭＳを介して位置情報の要求を対応する端末に送信するステップ（１００２）と；ステップ１００１で保護者から対応する端末の位置情報の要求を受信すると、位置情報管理サーバが、ＳＭＳを介して位置情報の要求を対応する端末へ送信し、次に、保護者が読み取れるようにＳＭＳを介して受信された暗号化位置情報を復号化するステップ（１００３）と、を備える。
【発明を実施するための最良の形態】
【００２２】
以下、本発明の一好適な実施の形態に従うモバイル通信ネットワークを使用して人／物体の位置を追跡する装置及び方法が詳細に説明される。
【００２３】
図１は、本発明の実施の形態に従う、モバイル通信ネットワークを使用して人／物体の位置を追跡する装置を備えるモバイル通信ネットワークの構成を示す図である。本発明の一好適な実施の形態に従う、モバイル通信ネットワークを使用して人／物体の位置を追跡する装置は、複数の端末１００；及び基地局２０１、制御局２０２、スイッチングセンタ２０３、ホームロケーションレジスタ（ＨＬＲ）２０４、ショートメッセージサービス（ＳＭＳ）サーバ２０５等を含むモバイル通信ネットワーク２００；及び位置情報管理サーバ３００を備える。モバイル通信ネットワーク２００は、複数の端末１００と位置情報管理サーバ３００との間で位置を登録して認証し、且つＳＭＳを切り替えることを担当する。
【００２４】
図２に示されるように、複数の端末１００は、ＣＤＭＡ無線送信／受信部１０１と、位置情報抽出部１０２と、アラームボタン１０３と、メモリ１０４と、ＲＦＩＤ処理部１０５と、コントローラ１０６と、スピーカ１０７と、を備える。端末１００は、小型化されることができるので、この端末１００を携帯型デバイス（例えば、腕時計やネックレス）として製造することがより好ましい。
【００２５】
端末１００に組み込まれるＣＤＭＡ無線送信／受信部１０１は、コントローラ１０６を介してモバイル通信ネットワーク２００においてＣＤＭＡ無線通信を実行するよう制御される。
【００２６】
端末１００に組み込まれる位置情報抽出部１０２は、グローバル・ポジショニング・システム（ＧＰＳ）衛星１からの追跡位置に関連する複数のＧＰＳデータを受信して、そのデータをコントローラ１０６へ出力する。
【００２７】
端末１００に組み込まれるアラームボタン１０３は、端末１００のユーザが緊急事態でアラームボタン１０３を押した時に、緊急事態呼出選択信号を出力するためのものである。
【００２８】
端末１００に組み込まれるメモリ１０４は、緊急事態のためのデータ、ユーザの現在の緊急事態、及び緊急事態対策を音声認識可能に送出するための音声データを格納し、ここで、緊急事態のためのデータは、緊急事態とユーザの保護者の電話番号を通知するためのメッセージを含む。
【００２９】
端末に組み込まれるＲＦＩＤ処理部１０５は、ユーザの個人情報（例えば、病歴）を提供する。従って、病院の職員や９１１のクルーは、より容易にユーザの個人情報を得ることができる。
【００３０】
端末１００に組み込まれるコントローラ１０６は、位置情報管理サーバ３００から位置情報を要求するショートメッセージを受信すると、位置情報抽出部１０２を使用することによってユーザの現在の位置を計算する。次に、このコントローラ１０６は、計算された位置情報を位置情報管理サーバ３００へ送信する。
【００３１】
更に、コントローラ１０６は、ＳＭＳを介して位置情報管理サーバ３００から緊急事態を警告するための要求を受信し、次に、音声データを音声認識可能に出力するためにメモリ１０４から緊急事態通報のための音声データを読み出す。また、コントローラ１０６は、メモリ１０４からの緊急事態メッセージの読出しを担当し、緊急事態メッセージをＳＭＳを介して端末の現在位置情報と共に位置情報管理サーバ３００へ送信する。
【００３２】
更に、コントローラ１０６は、埋め込み時間と距離標準タイマを有し、電力消費を減少するための時間と距離標準位置登録／決定方法を使用して、その位置をＨＬＲ２０４へ登録する。
【００３３】
端末１００に組み込まれるスピーカ１０７は、コントローラ１０６からユーザの現在の緊急事態と緊急事態対策を含む緊急事態通知のための音声データを受信して、それを音声認識可能に送出する。
【００３４】
位置情報管理サーバ３００は、有線／無線電話、インターネット或いは他のインターフェースを介して、ある端末を有する保護者と繋がっている。このサーバ３００は、図３に示されるように、位置情報処理手段３０１と通知処理手段３０２を備える。
【００３５】
位置情報管理サーバ３００に組み込まれる位置情報処理手段３０１は、複数の端末１００の位置情報を管理し、保護者からユーザの位置情報の要求を受信すると、ＳＭＳを介して対応する端末１００へ位置情報の要求を送信する。更に、位置情報処理手段３０１は、保護者の読出しのためにＳＭＳを介して受信した符号化位置情報を復号化する。
【００３６】
位置情報管理サーバ３００に組み込まれる通知処理手段３０２は、保護者の要求を受信すると、ＳＭＳを介して対応する端末１００へ通知要求を送信する。
【００３７】
添付の図面を参照して、本発明の上記好適な実施の形態に従う、モバイル通信ネットワークを使用して人／物体の位置を追跡する方法を説明する。
【００３８】
まず最初に、図４を参照して、本発明の実施の形態に従う、モバイル通信ネットワークを使用して人／物体の位置を追跡する方法における端末の処理ステップを説明する。
【００３９】
端末１００のコントローラ１０６は、電源がオンされると、モバイル通信ネットワーク２００を介してＨＬＲへの位置登録と認証処理を実行する（Ｓ１００）。
【００４０】
次に、コントローラ１０６は、その中に配置される時間と距離標準タイマを初期化し、現在位置を生成し、スリープモードに変換される（Ｓ２００）。
【００４１】
その後、コントローラ１０６は、命令が位置情報管理サーバ又はユーザから入力されたか否かを決定する（Ｓ３００）。
【００４２】
ステップ３００（Ｓ３００）で命令が位置情報管理サーバ又はユーザから入力されない場合（ＮＯ）、コントローラ１０６は、電力消費を低下する時間と距離標準位置登録／決定方法を使用して、位置登録が実行されるか否かを決定する。位置登録が実行されるべきであると決定されると、コントローラ１０６は、ＨＬＲ２０４への位置登録を実行する（Ｓ４００）。
【００４３】
図６を参照して、上記ステップ４００（Ｓ４００）の位置登録の処理ステップを説明する。
【００４４】
まず、コントローラ１０６は、位置登録のための命令が基地局２０１から要求されたか否かを決定する（Ｓ４０１）。
【００４５】
ステップ４０１（Ｓ４０１）で位置登録のための命令が基地局２０１から要求された場合（ＹＥＳ）、コントローラ１０６は、ＨＬＲ２０４に対して現在位置情報を登録し、次に、ステップ２００（Ｓ２００）へ移行する（Ｓ４０２）。
【００４６】
他方、ステップ４０１（Ｓ４０１）で位置登録のための命令が基地局２０１から要求されなかった場合（ＮＯ）、コントローラ１０６は、距離標準タイマが終了したか否かを決定する（Ｓ４０３）。
【００４７】
ステップ４０３（Ｓ４０３）で距離標準タイマが終了していない場合（ＮＯ）、コントローラ１０６は、ステップ４０１（Ｓ４０１）へ移行する。しかしながら、ステップ４０３で距離標準タイマが終了している場合（ＹＥＳ）、コントローラ１０６は、現在位置と距離標準タイマの開始点から終了点までのシフト距離を計算する（Ｓ４０４）。
【００４８】
次に、コントローラ１０６は、距離標準タイマの開始点から終了点までのシフト距離が第１の臨界値を越えているか否かを決定する（Ｓ４０５）。ここで、第１の臨界値は、現在のモバイル通信端末で使用される距離標準位置登録最適パラメータよりも大きいように設定される。
【００４９】
ステップ４０５（Ｓ４０５）で距離標準タイマの開始点から終了点までのシフト距離が第１の臨界値を越えている場合（ＹＥＳ）、コントローラ１０６は、ステップ４０２（Ｓ４０２）へ進み、現在の位置情報を登録する。しかしながら、シフト距離が第１の臨界値未満である場合（ＮＯ）、コントローラ１０６は、時間標準タイマが終了したか否かを決定する（Ｓ４０６）。
【００５０】
ステップ４０６（Ｓ４０６）で時間標準タイマが終了した場合（ＹＥＳ）、コントローラ１０６は、現在位置と時間標準タイマの開始点から終了点までのシフト距離を計算する（Ｓ４０７）。
【００５１】
次に、コントローラ１０６は、時間標準タイマの開始点から終了点までのシフト距離が第２の臨界値よりも大きいか否かを決定する（Ｓ４０８）。シフト距離が第２の臨界値よりも大きい場合（ＹＥＳ）、コントローラは、ステップ４０２（Ｓ４０２）へ進み、現在位置情報を登録する。ここで、第２の臨界値は、現在のモバイル通信端末で使用される時間標準位置登録最適パラメータよりも小さいように設定される。
【００５２】
他方、ステップ４０６（Ｓ４０６）で時間標準タイマが終了しない場合（ＮＯ）、コントローラ１０６は、距離標準タイマを初期化し、次に、ステップ４０１（Ｓ４０１）へ進む（Ｓ４０９）。
【００５３】
更に、４０８ステップ（Ｓ４０８）で時間標準タイマの開始点から終了点までのシフト距離が第２の臨界値未満である場合（ＮＯ）、コントローラ１０６は、時間と距離標準タイマを初期化して、次に、ステップ４０１（Ｓ４０１）へ進む（Ｓ４１０）。
【００５４】
他方、ステップ３００（Ｓ３００）で命令が位置情報管理サーバ３００又はユーザから入力されると（ＹＥＳ）、コントローラ１０６は、アクティブモードに変換され、次に、その命令が何かを決定する（Ｓ５００）。
【００５５】
ステップ５００（Ｓ５００）で命令がＳＭＳを介して位置情報管理サーバ３００から受信した位置情報の要求である場合、コントローラは、ＳＭＳを介して現在の位置情報を位置情報管理サーバ３００へ通知し、次に、ステップ２００（Ｓ２００）へ進み、スリープモードに変換される（Ｓ６００）。
【００５６】
他方、ステップ５００（Ｓ５００）で命令が位置情報管理サーバ３００から受信した緊急事態通知のためのものである場合、コントローラ１０６は、メモリ１０４からユーザの現在の緊急事態と緊急事態の対策を含む緊急事態通知のための音声データを読出し、スピーカ１０７を介してその音声データを音声認識可能に流す（Ｓ７００）。ここで、緊急事態通知のための音声データの例は、以下の通りである。幼児やペットが行方不明になった場合、音声メッセージ“私は迷子です、警察又は０２−１２３−４５６７番へ電話して下さい（Ｉ  ａｍ  ｌｏｓｔ，ｃａｌｌ  ｔｈｅ  ｐｏｌｉｃｅ  ｏｒ  ０２−１２３−４５６７）”を流す。物体がなくなった場合、音声メッセージ“どうぞそれを適切なオーナーに戻してください。電話番号は、０２−１２３−４５６７番です（ｐｌｅａｓｅ  ｒｅｔｕｒｎ  ｉｔ  ｔｏ  ａｎ  ａｐｐｒｏｐｒｉａｔｅ  ｏｗｎｅｒ，  ｔｈｅ  ｎｕｍｂｅｒ  ｉｓ  ０２−１２３−４５６７）”が流される。これらの音声データは、繰り返されてもよく、ユーザがそれらを変更できるように設定される。
【００５７】
反対に、ステップ５００（Ｓ５００）で命令がユーザ入力緊急事態呼出のためのものである場合、コントローラ１０６は、メモリ１０４から緊急事態メッセージを読出し、その緊急事態メッセージを現在の位置情報と共にＳＭＳを介して位置情報管理サーバ３００へ送信する（Ｓ８００）。
【００５８】
図５に示されているように、ユーザがステップ１００から８００（Ｓ１００からＳ８００）中の任意の時に電源をオフにしようとすると、コントローラ１０６は、現在の位置情報を生成し、現在の位置情報をＨＬＲ２０４へ通知し、次に、処理を終了する（Ｓ９００）。
【００５９】
図７を参照して、本発明の実施の形態に従う、モバイル通信ネットワークを使用して人／物体の位置を追跡する方法における位置情報管理サーバの処理ステップを説明する。
【００６０】
まず、位置情報管理サーバ３００は、保護者から命令を受信すると、その命令が何かを決定する（Ｓ１００１）。
【００６１】
位置情報管理サーバ３００は、保護者から緊急事態通知の要求を受信すると、ＳＭＳを介して位置情報の要求を対応する端末に送信する（Ｓ１００２）。
【００６２】
他方、位置情報管理サーバ３００は、ステップ１００１（Ｓ１００１）で保護者から対応する端末１００の位置情報の要求を受信すると、ＳＭＳ２０５を介して位置情報の要求を対応する端末に送信し、次に、保護者が読み取れるようにＳＭＳを介して受信した暗号化位置情報を復号化する（Ｓ１００３）。
【００６３】
上記において、本発明は、幾つかの特定の実施の形態を参照して詳細に説明された。しかしながら、本発明は、必ずしもこれらの実施の形態に制限されものではなく、本発明の範囲内で変更されることができる。
【産業上の利用可能性】
【００６４】
上記で説明されたように、モバイル通信ネットワークを使用して人／物体の位置を追跡する装置及び方法を使用することによって、端末を携行する被保護者が緊急事態にある時、ボタンを押すような単純な操作を介して保護者へ緊急事態を迅速且つ正確に通報することが可能となる。端末を操作する能力を持たない赤ん坊やペットのような対象物が緊急事態にある時、離れたところでの保護者の制御下で音声によって端末の周りの人々へ緊急事態を出力することも可能となる。
【００６５】
加えて、端末とモバイル通信ネットワーク間の情報の送信の場合ショートメッセージサービスを使用して位置登録を実行し、距離と時間の両方を考慮して端末の位置を登録する改良された方法を採用することによって端末の電力消費を最小にすることが可能となる。
【００６６】
更に、キーパッドとスクリーンディスプレイを排除することによって端末のサイズを小型化することが可能となり、従ってユーザが端末を便利に携行でき、且つ端末のコストが低減される。
【００６７】
更に、端末内に無線周波数識別（ＲＦＩＤ）を設け、ユーザの個人情報及び病歴のような情報を提供することによってユーザの突然の病気や緊急犯罪状況を迅速に管理することが可能となる。
【図面の簡単な説明】
【００６８】
【図１】本発明の実施の形態に従う、モバイル通信ネットワークを使用して人／物体の位置を追跡する装置を備えるモバイル通信ネットワークの構成を示す図である。
【図２】図１に示されるモバイル通信ネットワークにおける端末の詳細な構成を示す機能ブロック図である。
【図３】図１に示されるモバイル通信ネットワークにおける位置情報管理サーバの詳細な構成を示す機能ブロック図である。
【図４】本発明の実施の形態に従う、モバイル通信ネットワークを使用して人／物体の位置を追跡する方法における端末の処理ステップを示すフロー図である。
【図５】図４に示される端末の処理ステップにおける電源オフ中の処理ステップを示すフロー図である。
【図６】図４に示される端末の処理ステップにおけるステップ４００の詳細な処理ステップを示すフロー図である。
【図７】本発明の実施の形態に従う、モバイル通信ネットワークを使用して人／物体の位置を追跡する方法における位置情報管理サーバでの処理ステップを示すフロー図である。
【図１】
2007507150.tif 000003
【図２】
2007507150.tif 000004
【図３】
2007507150.tif 000005
【図４】
2007507150.tif 000006
【図５】
2007507150.tif 000007
【図６】
2007507150.tif 000008
【図７】
2007507150.tif 000009
【国際調査報告】
2007507150.tif 000010
2007507150.tif 000011